(57)【要約】【課題】  本発明は、通知のあった被介護体を容易に認識することができる介護管理システムを提供する。【解決手段】  本発明の介護管理システムは、介護人ごとに割り当てられた複数の介護端末と、被介護体ごとに割り当てられ且つ上記介護端末に通信可能に接続された複数の被介護端末とを含む介護管理システムであって、  上記被介護端末は、上記介護端末に対して通知信号を送信する通知手段を有していると共に、  上記介護端末は、  出力部と、  上記通知信号の受信を受けて上記被介護体に対応した出力形態にて上記通知信号の受信を上記出力部に出力する通知出力手段とを有していることを特徴とする。【選択図】  図１
2016128963.tif 000002
【特許請求の範囲】
【請求項１】
介護人ごとに割り当てられた複数の介護端末と、被介護体ごとに割り当てられ且つ上記介護端末に通信可能に接続された複数の被介護端末とを含む介護管理システムであって、
上記被介護端末は、上記介護端末に対して通知信号を送信する通知手段を有していると共に、
上記介護端末は、
出力部と、
上記通知信号の受信を受けて上記被介護体に対応した出力形態にて上記通知信号の受信を上記出力部に出力する通知出力手段とを有していることを特徴とする介護管理システム。
【請求項２】
通知出力手段による出力部への出力形態が、音又はバイブレーションによる出力形態であることを特徴とする請求項１に記載の介護管理システム。
【請求項３】
被介護体が分類されており、同一分類の被介護体には同一の出力形態が付与されていることを特徴とする請求項１又は請求項２に記載の介護管理システム。
【発明の詳細な説明】
【技術分野】
【０００１】
本発明は、介護管理システムに関する。
【背景技術】
【０００２】
病院や老人ホームなどでは、患者又は入居者などの被介護体の健康状態を十分に監視する必要があり、被介護体の状態を介護人が定期的に見回っている。被介護体を絶え間なく見回ることは介護人にとって大変な労力を要し、介護人の労力の軽減が求められている。
【０００３】
そこで、被介護体の生体情報を自動的に測定し、介護人に伝達することによって、介護人の負担を軽減させることが提案されている。具体的には、特許文献１には、ベッドに、生体情報を検出するためのセンサを有するマットを敷設し、このセンサの検出信号を電気信号に変換して論理判断回路に送り、この論理判断回路で生体情報が異常かどうかを判断して出力するようにした生体情報を収集し伝達する装置が提案されている。
【０００４】
そして、上記生体情報を収集し伝達する装置は、被介護体の異常な生体情報があった場合に生体情報を介護人に伝達する。異常な生体情報の伝達を受けた介護人は直ちに被介護体のもとに行って被介護体の介護にあたる。
【先行技術文献】
【特許文献】
【０００５】
【特許文献１】特開２０１０−２８４４９８号公報
【発明の概要】
【発明が解決しようとする課題】
【０００６】
一方、介護施設などにおいては、複数の被介護体に対して一人の介護人が担当しており、特に夜間においては、一人の介護人当たりが担当する被介護体の人数が多く、被介護体の介護を行っているときは手が放せない場合が殆どである。
【０００７】
そして、上記生体情報を収集し伝達する装置から通知があった場合、どの被介護体からの通知であるかを確認する操作が面倒であり、容易に被介護体を確認できるシステムが要望されている。
【０００８】
本発明は、通知のあった被介護体を容易に認識することができる介護管理システムを提供する。
【課題を解決するための手段】
【０００９】
本発明の介護管理システムは、介護人ごとに割り当てられた複数の介護端末と、被介護体ごとに割り当てられ且つ上記介護端末に通信可能に接続された複数の被介護端末とを含む介護管理システムであって、
上記被介護端末は、上記介護端末に対して通知信号を送信する通知手段を有していると共に、
上記介護端末は、
出力部と、
上記通知信号の受信を受けて上記被介護体に対応した出力形態にて上記通知信号の受信を上記出力部に出力する通知出力手段とを有していることを特徴とする。
【発明の効果】
【００１０】
本発明の介護管理システムは、上述の如き構成を有していることから、どの被介護体からの通知であるのかを容易に認識することができ、被介護体の介護を迅速に行うことができる。
【図面の簡単な説明】
【００１１】
【図１】介護管理システムを示したハードウエア構成図である。
【図２】介護端末を示したハードウエア構成図である。
【図３】被介護端末を示したハードウエア構成図である。
【図４】所有者情報テーブルの一例を示した図である。
【図５】出力形態テーブルの一例を示した図である。
【図６】通知手段の動作を示したフローチャートである。
【図７】通知出力手段の動作を示したフローチャートである。
【発明を実施するための形態】
【００１２】
本発明の介護管理システムＡの一例を図面を参照しながら説明する。介護管理システムＡは、図１に示した通り、介護人ごとに割り当てられた複数の介護端末１と、被介護体ごとに割り当てられ且つ上記介護端末１に通信可能に接続された複数の被介護端末２とを含む。
【００１３】
介護管理システムＡは、複数の介護端末１を含み、各介護端末１は介護人ごとに割り当てられている。介護端末１としては、後述する被介護端末２と通信可能に接続可能であればよく、公知の携帯型通信機器を用いることができ、例えば、スマートフォン、タブレット型携帯通信端末、携帯電話などが挙げられる。
【００１４】
介護管理システムＡは、複数の被介護端末２を含み、各被介護端末２は被介護体ごとに割り当てられている。被介護端末２は、介護端末１と通信可能に接続可能であればよい。なお、被介護体としては、例えば、介護を必要とする人及びペットなどが挙げられる。
【００１５】
介護端末１と被介護端末２とは、汎用の通信プロトコル（例えば、ＴＣＰ／ＩＰ、ＮｅｔＢＥＵＩ）を用いて互いに通信可能に接続されており、介護端末１及び被介護端末２は、それぞれに予め付与された識別番号によって区別されている。以下では、介護端末１及び被介護端末２は、識別番号としてＩＰアドレスを用いて区別されている場合を例に挙げて説明するが、これに限定されない。
【００１６】
図２は、介護端末１のハードウエア構成を示した図である。介護端末１は、ＣＰＵ(Central Processing Unit)11に、記憶部に相当するＳＳＤ（Solid State Drive）及びＨＤＤ（Hard Disk Drive）などの記憶装置12と、ＲＯＭ(Read Only Memory)13と、ＲＡＭ(Random Access Memory)14と、入力部に相当するタッチパネル及びキーボードなどの入力装置15、出力部に相当する振動体、タッチパネル、ディスプレイ及びスピーカなどの出力装置16、他の端末との通信を可能にするための通信ユニット17とが電気的に接続されている。
【００１７】
介護端末１のＲＯＭ13及び記憶装置12内には、ＣＰＵ11にて実行される各種プログラムや各種データが格納されている。ＲＡＭ14には、各種のプログラムに基づいて設定される設定値を一次的に記憶するためのメモリなどが格納されている。
【００１８】
介護端末１のＲＯＭ13及び記憶装置12内には、介護端末１が備える各種手段（通知出力手段など）としての各種プログラム（通知出力プログラムなど）が格納されている。各種手段は、ＣＰＵ11やＲＡＭ14上に各種プログラムを読み込ませることにより、ＣＰＵ11の制御のもとで、ＲＡＭ14や記憶装置12におけるデータの読み出し及び書き込みを行うことで実現される。
【００１９】
図３は、被介護端末２のハードウエア構成を示した図である。被介護端末２は、ＣＰＵ(Central Processing Unit)21に、記憶部に相当するＳＳＤ（Solid State Drive）及びＨＤＤ（Hard Disk Drive）などの記憶装置22と、ＲＯＭ(Read Only Memory)23と、ＲＡＭ(Random Access Memory)24と、入力部に相当するタッチパネル及びキーボードなどの入力装置25、出力部に相当するタッチパネル、ディスプレイ及びスピーカなどの出力装置26と、他の端末との通信を可能にするための通信ユニット27とが電気的に接続されている。
【００２０】
更に、ＣＰＵ21に、生体信号測定装置が電気的に接続されていてもよい。生体信号装置としては、圧電センサ、動脈血酸素飽和度を測定する酸素飽和度測定ユニット、体温を測定する体温測定ユニット、心拍数を測定する心拍数測定ユニットなどが挙げられる。
【００２１】
動脈血酸素飽和度を測定する酸素飽和度測定ユニットとしては、公知の動脈血酸素飽和度を測定する装置が挙げられ、例えば、パルスオキシメータなどが挙げられる。
【００２２】
体温を測定する体温測定ユニットとしては、公知の体温を測定する装置が挙げられ、例えば、水銀式体温計、灯油式体温計、アルコール式体温計、サーミスタ式体温計、赤外線式体温計などが挙げられる。
【００２３】
心拍数を測定する心拍数測定ユニットとしては、公知の心拍数を測定する装置が挙げられ、例えば、光電式脈拍計、ＬＥＤ式脈拍計、赤外線式脈拍計、圧電センサなどが挙げられる。なお、心拍数は、一分間の心臓の拍動数をいい、一分間の脈拍数で代用することも可能である。
【００２４】
被介護端末２のＲＯＭ23及び記憶装置22内には、ＣＰＵ21にて実行される各種プログラムや各種データが格納されている。ＲＡＭ24には、各種のプログラムに基づいて設定される設定値を一次的に記憶するためのメモリなどが格納されている。
【００２５】
被介護端末２のＲＯＭ23及び記憶装置22内には、被介護端末２が備える各種手段（通知手段など）としての各種プログラム（通知プログラムなど）が格納されている。各種手段は、ＣＰＵ21やＲＡＭ24上に各種プログラムを読み込ませることにより、ＣＰＵ21の制御のもとで、ＲＡＭ24や記憶装置22におけるデータの読み出し及び書き込みを行うことで実現される。
【００２６】
被介護端末２の記憶装置22には、所有者情報テーブルが記憶されており、この所有者情報テーブルには、被介護端末２が割り当てられている被介護体の名前及び被介護体に付与された出力形態の種類が登録されている（図４参照）。出力形態とは、介護端末に、被介護体から通知信号を受信したときに、通知信号を受信したことを介護人に知らせるために出力装置に出力するときの出力方法をいう。具体的には、出力形態としては、例えば、（１）介護端末の振動体（出力装置16）を振動させてバイブレーション（振動）によって介護人に通知信号の受信を知らせる方法、（２）介護端末のスピーカ（出力装置16）から音声を発して介護人に通知信号の受信を知らせる方法、（３）介護端末のディスプレイ（出力装置16）上に識別記号を表示する方法などが挙げられる。上記（１）の出力形態において、バイブレーションのパターンを変化させることによって互いに異なる出力形態とすることができる。上記（２）の出力形態において、音声の種類又はパターンを変化させることによって互いに異なる出力形態とすることができる。上記（３）の出力形態において、識別記号を変化させることによって互いに異なる出力形態とすることができる。図４に例示した所有者情報テーブルには、被介護体の名前として「被介護太郎」が、出力形態の種類としては「バイブレーション１」が登録されている。なお、所有者情報テーブルへの登録及び変更は、被介護端末２の入力装置25からの入力によって行われる。
【００２７】
介護端末１の記憶装置21には、出力形態テーブルが記憶されており、出力形態テーブルには、出力形態の種類に対応する出力形態の内容が登録されている（図５参照）。例えば、出力形態の種類が「バイブレーション１」である場合には「振動体を５秒間振動させた後に１秒間休止するパターンの繰り返し５回」とし、「バイブレーション２」である場合には「振動体を１秒間振動させた後に０．５秒間休止するパターンの繰り返し５回」とし、「音声１」である場合には「スピーカからベルの音を５秒間発する」とし、「音声２」である場合には「スピーカから太鼓の音を５秒間発する」とし、「識別記号１」である場合には「ディスプレイ上に犬の図柄の表示」とし、「識別記号２」である場合には「ディスプレイ上に猫の図柄の表示」とすることなどが挙げられる。なお、出力形態テーブルへの登録及び変更は、被介護端末２の入力装置25からの入力によって行われる。
【００２８】
被介護端末２は、介護端末１に対して通知信号を送信する通知手段を有している。被介護端末２からの介護端末１に通知信号は、被介護端末２が割り当てられた被介護体が介護人に対して知らせたい内容が含まれていればよい。通知信号の内容としては、例えば、被介護体の健康に異常が発生したこと、トイレなどへの同行の依頼、被介護体が所望する物の要求などが挙げられる。
【００２９】
図６に示したように、通知手段に相当する通知プログラムは、被介護端末２の入力装置25からの入力によって起動し（ステップ１）、被介護端末２の出力装置26上に入力画面を表示させ（ステップ２）、この入力画面に、入力装置25から、被介護体から介護人に通知したい内容（通知内容）の入力を待ち、通知内容の入力が確定した（ステップ３）後に、所有者情報テーブルに登録された被介護体の名前及び出力形態の種類が読み出され（ステップ４）、通知内容、被介護体の名前及び出力形態の種類が通知信号として被介護端末２と通信可能な全ての介護端末１に送信される（ステップ５）。
【００３０】
上記では、通知プログラムによって、被介護端末２の出力装置26上に入力画面を表示させ、この入力画面に通知内容を入力していたが、これに限定されず、被介護端末２に生体信号測定装置を付帯させておき、生体信号測定装置によって被介護体の生体信号を常時、測定する一方、通知プログラムを常時、起動させておき、通知プログラムによって、生体信号測定装置で測定された生体信号に基づいて予め定められた基準にしたがって被介護体の状態が自動的に判断され、被介護体の状態が介護を必要とする状態（要介護状態）であると判断された時に、被介護体が要介護状態であるという通知内容、被介護体の名前及び出力形態の種類が通知信号として介護端末１に自動的に送信されてもよい。
【００３１】
図７に示したように、通知プログラムによって、被介護端末２から介護端末１に通知信号が送信され、この通知信号が介護端末１によって受信される（ステップ６）と、介護端末１の通知出力手段に相当する通知出力プログラムが自動的に起動し（ステップ７）、通知出力プログラムによって、通知信号に含まれている出力形態の種類を検索キーとして介護端末１の記憶装置12内の出力形態テーブル内が検索され、通知信号に含まれている出力形態の種類に対応した出力形態の内容が選択される（ステップ８）。
【００３２】
次に、通知出力プログラムによって、被介護端末２から通知信号を受信した事実が上記で選択された出力形態にて出力装置16に出力され（ステップ９）、これによって介護人は、被介護体から通知があったことを認識する。例えば、出力形態が「バイブレーション１」である場合には、介護端末１が振動体によって５秒間振動させられた後に１秒間休止されるパターンの繰り返しが５回行われる。
【００３３】
通知信号を受信した事実が上記で選択された出力形態にて出力装置16に出力される時に、通知内容及び被介護体の名前が出力装置16に出力されてもよい。出力装置16への出力は、特に限定されず、例えば、通知内容及び被介護体の名前のディスプレイ上への表示、通知内容及び被介護体の名前のスピーカからの音声による出力などが挙げられ、介護人が介護端末を操作することなく容易に認識することができるので、音声による出力が好ましい。
【００３４】
被介護端末２から通知信号を受信した事実が上記で選択された出力形態にて出力装置16に出力される時、被介護体ごとに予め定められた出力形態にて出力装置16に出力されることから、どの被介護体から通知があったかを介護人は容易に認識することができる。特に、バイブレーション又は音による出力形態は、介護人は、介護端末１のディスプレイを確認する必要なく被介護体の特定を行うことができ、被介護体の介護中で手が離せない場合にあっても、介護端末に通知をした被介護体を容易に特定し、被介護体の介護の対応を迅速に行うことができるので好ましい。
【００３５】
被介護体に付与される出力形態の種類について、被介護体に対応した出力形態が付与されておればよく、被介護体ごとに異なる出力形態が付与されてもよいし、被介護体を分類し、同一分類の被介護体については同一の出力形態を付与してもよい。
【００３６】
被介護体ごとに異なる出力形態が付与されている場合には、介護端末１の出力装置16への出力形態の種類のみによって、被介護体を直ちに特定することができる。
【００３７】
同一分類の被介護体について同一の出力形態を付与する場合は下記の状況が想定される。例えば、被介護体が介護施設に入居している場合において、部屋番号「１０１号室」に入っている被介護体の全てに出力形態として「音声１」を付与しておく。そして、介護端末のスピーカからベルの音が５秒間発せられると、介護人は、ベルの音は１０１号室の被介護体から通知であることを直ちに理解することができ、介護端末を操作することなく、直ちに１０１号室に向かい、１０１号室内にて通知信号を送信した被介護体を直接確認すればよく、介護端末の操作を行うことなく、被介護体の介護を直ちに行うことができる。
【００３８】
又、被介護体が介護施設に入居している場合において、食事時やレクリエーション時に、多数の被介護体が同時に一つの部屋に居る場合がある。このような場合、被介護体から通知があっても、被介護体が部屋のどこにいるのか分からない場合がある。
【００３９】
このような場合、例えば、一つの部屋を予め複数の区画に分割し、区画ごとに出力形態を定め、又は、複数の机がある場合には机ごとに出力形態を定める一方、被介護体を所定の場所に座らせ、この座らせた場所に対応する区画又は机が有する出力形態を出力形態として被介護体に付与する。このようにすることによって、介護端末１の出力装置16からの出力形態によって、介護人は被介護体の居場所を容易に特定することができ、介護人は被介護体を直ちに介護することができる。
【００４０】
このように、部屋番号及び居場所などの条件に基づいて被介護体を分類し、同一分類の被介護体には同一の出力形態を付与することによって、介護人は、出力装置16への出力形態の種類がどの種類であるかを認識するだけで、被介護体の部屋番号や居場所などの状況を直ちに把握することができ、介護人は被介護体のもとに速やかに向かい、被介護体の介護を円滑に行うことができる。
【００４１】
又、出力装置16への出力形態の種類が形態として表現できるような場合、例えば、スピーカからベルの音を発する場合、ディスプレイ上に「犬」の図柄を表示する場合には、これらの出力形態に対応した形状を有する識別体（例えば、ベルの置物、犬のぬいぐるみ）を被介護体に付帯させておくことによって、介護端末１の出力装置16への出力形態に対応する識別体を探すことによって、一目で被介護体の居場所などの状況を容易に把握することができ、介護人は被介護体の介護を速やかに行うことができる。
【００４２】
なお、識別体を被介護体に付帯させるとは、例えば、被介護体の使用している机上に識別体を載置すること、被介護体の椅子に識別体を取り付けること、被介護体のいる場所の床に識別体を載置することなどが挙げられる。
【符号の説明】
【００４３】
１     介護端末
２     被介護端末
Ａ     介護管理システム
【図１】
2016128963.tif 000003
【図２】
2016128963.tif 000004
【図３】
2016128963.tif 000005
【図４】
2016128963.tif 000006
【図５】
2016128963.tif 000007
【図６】
2016128963.tif 000008
【図７】
2016128963.tif 000009